(57)【要約】【課題】傾斜した設置面の傾斜に合わせて設置することができ、しかも、十分な強度を有する柵構造体及び柵体を提供する。【解決手段】支柱２該支柱２に連結部４を介して取り付けられる柵体３とを備え、前記柵体３は、横桟６と、該横桟６の軸線方向に軸線方向が交差するように横桟６に連結される縦桟７とを備え、縦桟７と横桟６とは、双方の軸線方向の交差角度が変化するように、相対的に回動可能に連結されており、前記柵体３は、前記縦桟７が前記連結部４を介して前記支柱２に連結されることによって、該支柱２に取り付けられており、前記連結部４は、前記縦桟７の側面からから突設され、該縦桟７に一体的に形成される柵突出部９と、前記支柱２の側面からから突設され、該支柱２に一体的に形成される支柱突出部５とを備え、前記柵突出部９が前記支柱突出部５に載置されて構成されていることを特徴とする。【選択図】図１
2010059692.tif 000002
【特許請求の範囲】
【請求項１】
支柱と該支柱に連結部を介して取り付けられる柵体とを備え、
前記柵体は、横桟と、該横桟の軸線方向に軸線方向が交差するように横桟に連結される縦桟とを備え、縦桟と横桟とは、双方の軸線方向の交差角度が変化するように、相対的に回動可能に連結されており、
前記柵体は、前記縦桟が前記連結部を介して前記支柱に連結されることによって、該支柱に取り付けられており、
前記連結部は、前記縦桟の側面から突設され、該縦桟に一体的に形成される柵突出部と、前記支柱の側面から突設され、該支柱に一体的に形成される支柱突出部とを備え、前記柵突出部が前記支柱突出部に載置されて構成されていることを特徴とする柵構造体。
【請求項２】
請求項１に記載の柵構造体を構成する柵体。
【発明の詳細な説明】
【技術分野】
【０００１】
本発明は、例えば道路脇や敷地境界等の主に屋外に用いられ、特に傾斜した設置面に好適に用いられる柵構造体及び該柵構造体を構成する柵体に関する。
【背景技術】
【０００２】
従来、この種柵構造体として、支柱と該支柱に継手を介して取り付けられる柵体とを備えてなり、柵体は、横桟と、該横桟の軸線方向に軸線方向が交差するように横桟に連結される縦桟とを備えており、縦桟と横桟とは、双方の軸線方向の交差角度が変化するように、相対的に回動可能に連結されており、横桟の軸線方向端部には、下向開口の隙間部が形成されており、支柱と柵体とを連結するための継手は、支柱に固定される固定部と、該固定部から横桟の軸線方向に沿って延設され、幅方向が支柱の軸線方向に沿う薄板状の接続部とを備えたものが知られている。
【０００３】
かかる継手は、固定部が支柱に固定され、接続部が横桟の隙間部に嵌め込まれ、該接続部と横桟とが横桟の軸線方向と接続部の幅方向とに直交する方向に挿通される例えばボルトやピンなどの固定具によって連結固定されることによって、柵体と支柱とを連結している（下記特許文献１参照）。
【０００４】
このような柵構造体にあっては、柵体を構成する縦桟と横桟とが、双方の軸線方向の交差角度が変化するように、相対的に回動可能に連結されているので、縦桟或いは横桟を相対的に回動させて柵体の形状を変形させることができる。よって、傾斜している設置面の傾斜に合わせて柵体の形状を変形させて柵構造体を設置することができる。
【特許文献１】特許第３８０６５１９号公報
【発明の開示】
【発明が解決しようとする課題】
【０００５】
しかしながら、上記従来の柵構造体にあっては、固定具が横桟の軸線方向と接続部の幅方向とに直交する方向に沿って挿通されて接続部と横桟とを連結固定しているので、例えば積雪等によって柵体にかかる荷重がせん断力として固定具に作用する。即ち、従来の柵構造体は、固定具としてのボルトやピンのせん断力によって柵体にかかる荷重を支持する構造となっており、従って強度面で改良の余地があった。
【０００６】
そこで、本発明は、上記実情に鑑みてなされ、傾斜した設置面の傾斜に合わせて設置することができ、しかも、十分な強度を有する柵構造体及び該柵構造体が備える柵体を提供することを課題とする。
【課題を解決するための手段】
【０００７】
本発明は、上記課題を解決すべくなされたものであり、本発明に係る柵構造体は、支柱と該支柱に連結部を介して取り付けられる柵体とを備え、前記柵体は、横桟と、該横桟の軸線方向に軸線方向が交差するように横桟に連結される縦桟とを備え、縦桟と横桟とは、双方の軸線方向の交差角度が変化するように、相対的に回動可能に連結されており、前記柵体は、前記縦桟が前記連結部を介して前記支柱に連結されることによって、該支柱に取り付けられており、前記連結部は、前記縦桟の側面から突設され、該縦桟に一体的に形成される柵突出部と、前記支柱の側面から突設され、該支柱に一体的に形成される支柱突出部とを備え、前記柵突出部が前記支柱突出部に載置されて構成されていることを特徴とする。
【０００８】
該構成の柵構造体にあっては、柵体を構成する縦桟と横桟とが、双方の軸線方向の交差角度が変化するように、相対的に回動可能に連結されているので、縦桟或いは横桟を相対的に回動させて柵体の形状を変形させることができる。よって、傾斜している設置面の傾斜に合わせて柵体の形状を変形させて柵構造体を設置することができる。
【０００９】
また、柵体の縦桟と支柱とを連結するための連結部を構成する柵突出部と支柱突出部とが、縦桟及び支柱にそれぞれ一体的に突設されており、該柵突出部を支柱突出部に載置して柵体の縦桟と支柱とが連結されているので、例えば積雪などによって柵体にかかる荷重を、柵突出部と支柱突出部とで支持することができる。
【００１０】
また、本発明に係る柵体は、請求項１に記載の柵構造体を構成するものである。
【発明の効果】
【００１１】
このように、本発明に係る柵構造体及び柵体にあっては、柵体を構成する縦桟と横桟とが、双方の軸線方向の交差角度が変化するように、相対的に回動可能に連結されており、縦桟と支柱とを連結するための連結部が、縦桟に一体的に突設される柵突出部が支柱に一体的に突設される支柱突出部に載置されることによって構成されているので、縦桟或いは横桟を相対的に回動させて柵体の形状を変形させることができ、柵体にかかる荷重を柵突出部と支柱突出部とで支持することができ、従って、傾斜している設置面の傾斜に合わせて柵体の形状を変形させて柵構造体を設置することができ、しかも、例えば積雪等よる荷重にも耐え得る十分な強度を得ることができるという効果を奏する。
【発明を実施するための最良の形態】
【００１２】
以下、本発明に係る柵構造体及び柵体の一実施形態について図面を参照しつつ詳細に説明する。
図１に、本実施形態における柵構造体１が示されている。該柵構造体１は、例えば道路脇や敷地境界等の主に屋外に設置され、特に傾斜した設置面に対しても設置することができるものであり、軸線Ｃ１が鉛直方向に沿うように立設される支柱２と該支柱２に連結部４を介して取り付けられる柵体３とを備えている。
【００１３】
支柱２は、図２（Ａ）及び（Ｂ）に示すように、軸線Ｃ１が直線状の断面円形状の管体であり、本実施形態では、鋼管やアルミ合金管等の金属管から製作され、適宜塗装や鍍金等の表面処理が施される。また、支柱２は、断面円形の管体が好適に用いられるが、断面矩形や楕円形の管体等が用いられてもよい。
【００１４】
この支柱２には、該支柱２の側面から径方向外方へ向けて突出する支柱突出部５が形成されている。この支柱突出部５は、軸線Ｃ２方向が支柱２の軸線Ｃ１方向に沿った筒部５１と、該筒部５１の径方向外方に延設される取付部５２とを備える。本実施形態では、筒部５１は、角筒形状であり、その内部孔が前記突出方向（即ち、支柱２の径方向）に長い長孔である支柱側連結孔５１１となっている。また、筒部５１の一端面は、支柱２の軸線Ｃ１に垂直且つ平坦な支柱側載置面５１２となっている。尚、支柱突出部５は、柵体３と支柱２とを連結する連結部４を構成するが、この点については後述する。
【００１５】
かかる支柱突出部５は、支柱２と一体となるように形成されている。具体的には、支柱突出部５は、取付部５２が支柱２の側面に溶接されることによって該支柱２に一体化されている。尚、本実施形態では、支柱突出部５は、支柱２の軸線Ｃ１方向に所定間隔を空けて２つ設けられており、また、該２つの支柱突出部５それぞれに対し、支柱２の径方向に対向するように設けられている。
【００１６】
柵体３は、図１に示すように、縦格子状の防護柵であり、横桟６と、該横桟６の軸線Ｃ３方向に軸線Ｃ４，Ｃ６方向が交差するように横桟６に連結される縦桟７，８とを備えており、縦桟７，８と横桟６とが、双方の軸線Ｃ３，Ｃ４，Ｃ６方向の交差角度が変化するように、相対的に回動可能に連結されている。具体的には、柵体３は、軸線Ｃ３同士が平行となるように対向配置される一対の横桟６と、該一対の横桟６間に架け渡され、横桟６の軸線Ｃ３方向に沿って複数設けられる縦桟７，８とを備え、前記一対の横桟６間の距離が大小するように、縦桟７，８と横桟６とが互いに相対的に回動可能となっている。
【００１７】
横桟６は、図３（Ａ）及び（Ｂ）に示すように、その軸線Ｃ３が直線状に形成された筒状体であり、その断面形状は縦幅が横幅よりも長い長円形状となっている。この横桟６には、軸線Ｃ３方向両端部に、横幅方向に貫通する位置決孔６１がそれぞれ形成されており、また、縦幅方向底部に、前記軸線Ｃ３方向全域に亘って溝部６２が形成されている。尚、本実施形態では、位置決孔６１は、軸線Ｃ３方向に長い長孔となっている。
【００１８】
具体的には、横桟６は、長尺の板状体が断面長孔状に折曲され、板状体の両縁部それぞれが内方に屈曲されて互いに対向する一対の屈曲片６３となされて構成されている。これら一対の屈曲片６３により形成される開口部が前記溝部６２となっている。尚、横桟６は、鋼板等の金属板から作成され、適宜塗装や鍍金等の表面処理が施される。
【００１９】
かかる横桟６は、互いの軸線Ｃ３が平行となるように一対設けられ、各々の溝部６２同士が対向するように配置される。
【００２０】
縦桟７，８は、その一端部が一方の横桟６に、他端部が他方の横桟６に各々連結されており、横桟６の軸線Ｃ３方向に沿って複数配置されている。かかる複数の縦桟は、横桟６の軸線Ｃ３方向の両端に位置する端縦桟７と、両端縦桟７の間に配置される中間縦桟８とからなる。
【００２１】
端縦桟７は、図４（Ａ）及び（Ｂ）に示すように、軸線Ｃ４が直線状の断面円形状の管体の両端が略平坦となるように圧潰されて平坦部７１となされており、該平坦部７１には回動孔７２が形成されている。尚、平坦部７１の先端部７１１は円形状に形成されている。この端縦桟７は、鋼管やアルミ合金管等の金属管から製作され、適宜塗装や鍍金等の表面処理が施される。また、端縦桟７は、断面円形の管体が好適に用いられるが、断面矩形や楕円形の管体等が用いられてもよい。
【００２２】
また、端縦桟７には、該端縦桟７の側面から径方向外方へ向けて突出する柵突出部９が形成されている。この柵突出部９は、軸線Ｃ５方向が端縦桟７の軸線Ｃ４方向に沿った筒部９１と、該筒部９１の径方向外方に延設される取付部９２とを備える。本実施形態では、筒部９１は、角筒形状であり、その内部孔が前記突出方向（即ち、端縦桟７の径方向）に長い長孔である柵側連結孔９１１となっている。また、筒部９１の一端面は、端縦桟７の軸線Ｃ４に垂直且つ平坦な柵側載置面９１２となっている。尚、柵突出部９は、柵体３と支柱２とを連結する連結部４を構成するが、この点については後述する。
【００２３】
かかる柵突出部９は、端縦桟７と一体となるように形成されている。具体的には、柵突出部９は、取付部９２が端縦桟７の側面に溶接されることによって該端縦桟７に一体化されている。尚、本実施形態では、柵突出部９は、端縦桟７の軸線Ｃ４方向に所定間隔を空けて２つ設けられている。
【００２４】
中間縦桟８は、図５（Ａ）及び（Ｂ）に示すように、軸線Ｃ６同士の間隔が所定ピッチとなるように複数設けられており、かかる複数の中間縦桟８によって縦桟ユニットを構成している。具体的には、縦桟ユニットは、複数の中間縦桟８と、中間縦桟８同士を所定ピッチで連結するピッチ確保材１０とを備える。
【００２５】
中間縦桟８は、軸線Ｃ６が直線状の断面円形状の管体の両端が略平坦となるように圧潰されて平坦部８１となされており、該平坦部８１の先端部８１１は円形状に形成されている。尚、中間縦桟８は、鋼管やアルミ合金管等の金属管から製作され、適宜塗装や鍍金等の表面処理が施される。また、中間縦桟８は、断面円形の管体が好適に用いられるが、断面矩形や楕円形の管体等が用いられてもよい。また、中間縦桟８の外径は、端縦桟７の外径よりも小さくなっている。
【００２６】
ピッチ確保材１０は、一方の片が取付片１０１で他方の片が位置決片１０２である断面Ｌ字状の長尺板状体であり、例えば長尺鋼板等の金属板である。このピッチ確保材１０には、その取付片１０１の長手方向両端部に取付孔１０１１がそれぞれ形成されている。この取付孔１０１１は、ピッチ確保材１０の長手方向に長い長孔となっている。尚、ピッチ確保材１０は、互いの長手方向が平行となるように一対設けられている。
【００２７】
かかるピッチ確保材１０に、複数の中間縦桟８が所定ピッチで回動可能に軸着されることによって縦桟ユニットは構成されている。具体的には、一対のピッチ確保材１０の各々の取付片１０１と中間縦桟８の平坦部８１とを重ね合わせ、該取付片１０１と平坦部８１とを凹凸状に押圧変形してかしめることにより、縦桟ユニットは構成されている。よって、各中間縦桟８同士のピッチは固定ピッチである。尚、ピッチ確保材１０と中間縦桟８とは、かしめた部分をかしめ軸８２として相対的に回動可能となっている。即ち、ピッチ確保材１０と中間縦桟８とは、ピッチ確保材１０の長手方向と中間縦桟８の軸線Ｃ６方向とが交差するように連結されており、且つ、かかる交差角度が変化するように互いに回動可能に連結されている。
【００２８】
以上のような端縦桟７と縦桟ユニットとが横桟６に取り付けられることによって、柵体３は構成されている。具体的には、図６（Ａ）及び（Ｂ）に示すように、中間縦桟８の平坦部８１が横桟６の溝部６２に嵌るようにピッチ確保材１０が横桟６の内部に収容され、端縦桟７の平坦部７１が横桟６の溝部６２に嵌められ、ボルト等の取付部材１１を横桟６の位置決孔６１と端縦桟７の回動孔７２とピッチ確保材１０の取付孔１０１１とに挿通して締め付けることによって、柵体３は構成されている。尚、端縦桟７の軸線Ｃ４と中間縦桟８の軸線Ｃ６とは平行となっている。また、端縦桟７は、ピッチ確保材１０に締結されていない。また、ピッチ確保材１０の位置決片１０２は、横桟６の屈曲片６３の端部に当接している。
【００２９】
ここで、横桟６と端縦桟７とは、取付部材１１を介して連結されているので、当該取付部材１１を軸として、即ち、取付部材１１の軸線Ｃ７を回動中心として相対的に回動可能となっている。また、ピッチ確保材１０と中間縦桟８とはかしめ軸８２を中心に相対的に回動可能であるので、横桟６と中間縦桟８とは、当該かしめ軸８２を中心に相対的に回動可能となっている。従って、縦桟７，８と横桟６とは、双方の軸線Ｃ３，Ｃ４，Ｃ６方向の交差角度が変化するように、相対的に回動可能に連結されており、本実施形態では、一対の横桟６が平行を保ったままでその間の距離が大小するように、縦桟７，８と横桟６とが互いに相対的に回動可能となっている。つまり、柵体３は、一対の横桟６を水平方向に互いに反対向きに動かすと、縦桟（具体的には、中間縦桟８と端縦桟７）が横桟６に対して傾斜して形状が変化する。また、柵突出部９は、端縦桟７の側面から横桟６の軸線Ｃ３方向に沿って突設されている。
【００３０】
また、位置決孔６１は、横桟６の軸線Ｃ３方向に長い長孔であるので、取付部材１１は、横桟６の軸線Ｃ３方向に沿って移動可能である。従って、それぞれの端縦桟７は、横桟６の軸線Ｃ３方向に沿って該横桟６に対して相対移動可能となっている。換言すると、双方の端縦桟７の間の距離は、横桟６の軸線Ｃ３方向に沿って大小する。一方、各中間縦桟８は、かしめによってピッチ確保材１０に連結されているので、その位置は固定となっている。従って、端縦桟７は、横桟６の軸線Ｃ３方向に沿って中間縦桟８に対して接離可能である。
【００３１】
このような柵体３は、端縦桟７が前記連結部４を介して前記支柱２に連結されることによって、支柱２に取り付けられている。具体的には、図６（Ａ）に示すように、柵体３は、端縦桟７の側面から支柱２へ向けて突設されている柵突出部９を、支柱２の側面から柵体３へ向けて突設されている支柱突出部５に載置して取り付けられている。より詳細には、支柱側載置面５１２に柵突出部９を載置し、例えばボルト等の挿通部材１２を、柵突出部９の柵側連結孔９１１と支柱突出部５の支柱側連結孔５１１とに挿通して柵突出部９と支柱突出部５とを締め付けることによって、柵体３は支柱２に取り付けられている。尚、柵突出部９と支柱突出部５と挿通部材１２とで連結部４を構成している。また、支柱突出部５の支柱側載置面５１２と柵突出部９の柵側載置面９１２とは当接している。更に、端縦桟７の軸線Ｃ４と支柱２の軸線Ｃ１とは平行となっている。また、柵体３は、挿通部材１２の軸線Ｃ８回りに回動可能となっている。
【００３２】
ここで、端縦桟７又は横桟６の回動中心である取付部材１１の軸線Ｃ７と、横桟６の軸線Ｃ３方向一端部の下隅部６４（又は上隅部６５）との間の距離は、当該取付部材１１の軸線Ｃ７から支柱２の側面までの距離よりも小さく、挿通部材１２の軸線Ｃ８と端縦桟７の軸線Ｃ４との間の距離よりも大きい。つまり、横桟６の軸線Ｃ３方向一端面は、挿通部材１２の軸線Ｃ８と支柱２の側面との間に位置している。
【００３３】
以上のような構成の柵構造体１は、平坦な設置面でも傾斜した設置面でも設置することができる。即ち、平坦な設置面に設置する場合は、図１に示すように、軸線Ｃ１が鉛直方向となるように支柱２を複数立設し、横桟６の軸線Ｃ３と縦桟７，８の軸線Ｃ４，Ｃ６とが直交するように柵体３の形状を変形させ、該柵体３を支柱２間に取り付ける。
【００３４】
一方、傾斜した設置面に設置する場合は、図７に示すように、軸線Ｃ１が鉛直方向となるように支柱２を複数立設し、横桟６の軸線Ｃ３が設置面の傾斜に沿い且つ縦桟７，８の軸線Ｃ４，Ｃ６が支柱２の軸線Ｃ１と平行（即ち、鉛直方向）となるように、柵体３の形状を変形させ、該柵体３を支柱２間に取り付ける。
【００３５】
以上のような構成の柵構造体１にあっては、柵体３を構成する縦桟７，８と横桟６とが、双方の軸線Ｃ３，Ｃ４，Ｃ６方向の交差角度が変化するように、相対的に回動可能に連結されているので、縦桟７，８或いは横桟６を相対的に回動させて柵体３の形状を変形させることができる。具体的には、一対の横桟６を水平方向に互いに反対向きに動かして中間縦桟８と端縦桟７とが横桟６に対して傾斜させることによって柵体３の形状を変化させることができる。よって、横桟６の軸線Ｃ３を設置面の傾斜に合わせ、且つ、中間縦桟８と端縦桟７との各々の軸線Ｃ４，Ｃ６を支柱２の軸線Ｃ１に合わせて柵体３の形状を変形させて柵構造体１を設置面の傾斜に沿って設置することができる。
【００３６】
また、柵体３を支柱２に取り付けるための連結部４を構成する柵突出部９と支柱突出部５とが、端縦桟７及び支柱２にそれぞれ一体化されており、該柵突出部９を支柱突出部５に載置して柵体３と支柱２とが連結されているので、例えば積雪などによって柵体３にかかる荷重を、柵突出部９と支柱突出部５とで支持することができ、十分な強度を得ることができる。
【００３７】
また、柵体３を支柱２に取り付ける際には、柵突出部９を支柱突出部５に載置する、つまり、柵体３を支柱２に仮置きすることができるので施工が容易となる。
【００３８】
更に、複数の縦桟７，８のうち、横桟６の軸線Ｃ３方向の両端に位置するそれぞれの端縦桟７が横桟６の軸線Ｃ３方向に沿って該横桟６に対して相対移動可能となっている、即ち、双方の端縦桟７の間の距離が横桟６の軸線Ｃ３方向に沿って大小可能となっているので、一方の端縦桟７に設けられている柵突出部９と他方の端縦桟７に設けられている柵突出部９との間の距離を、横桟６の軸線Ｃ３方向に沿って大きくしたり小さくしたりすることができる。よって、一方の支柱２の支柱突出部５と他方の支柱２の支柱突出部５との間の距離に合わせて、一方の端縦桟７に設けられている柵突出部９と他方の端縦桟７に設けられている柵突出部９との間の距離を変更することができ、取り付けピッチの調整が容易となる。
【００３９】
また更に、端縦桟７又は横桟６の回動中心である取付部材１１の軸線Ｃ７と、横桟６の軸線Ｃ３方向一端部の下隅部６４（又は上隅部６５）との間の距離が、当該取付部材１１の軸線Ｃ７から支柱２の側面までの距離よりも小さくなっているので、設置面の傾斜角度が大きい場合であっても、該傾斜に合うように柵体３の形状を変形させることができる。
【００４０】
また、ピッチ確保材１０の断面形状がＬ字状であるので、多数の中間縦桟８を設けても剛性を維持することができる。また、当該断面略Ｌ字状のピッチ確保材１０は、その位置決片１０２が横桟６の屈曲片６３の端部に当接した状態で当該横桟６の内部に収容されているので、横桟６の内部から溝部を介して抜け難く、従って施工が容易となり且つガタツキを抑制することができる。
【００４１】
更に、本実施形態では、ピッチ確保材１０を介して中間縦桟８を横桟６に連結する場合について説明したが、これに限らず、ピッチ確保材１０を用いずに中間縦桟８を横桟６に直接連結してもよい。
【００４２】
尚、本実施形態では、端縦桟７の外径が中間縦桟８の外径よりも大きい場合について説明したが、これに限らず、同じ外径としてもよく、或いは、端縦桟７の外径を中間縦桟８の外径よりも小さくしてもよい。
【００４３】
また、本実施形態では、端縦桟７及び中間縦桟８が平坦部を備える場合について説明したが、これに限らず、平坦部を設けずに端縦桟７及び中間縦桟８を構成してもよい。
【００４４】
更に、本実施形態では、柵突出部９が端縦桟７に、支柱突出部５が支柱２に、溶接によってそれぞれ一体化されている場合について説明したが、これに限らず、例えばボルトやネジ等によって着脱可能に一体化されていてもよい。
【００４５】
また更に、本実施形態では、横桟６の軸線Ｃ７方向の両端に位置するそれぞれの端縦桟７が前記軸線Ｃ４方向に沿って移動可能となっている場合について説明したが、これに限らず、一方の端縦桟７が移動可能で、他方の端縦桟７が移動しないように固定されていてもよい。何れにしても、両端縦桟７のうち、少なくとも一方の端縦桟７が横桟６の軸線Ｃ３方向沿って移動可能となっていれば、一方の端縦桟７に設けられている柵突出部９と、他方の端縦桟７に設けられている柵突出部９との間の距離を変更することができる。
【００４６】
また、本実施形態では、取付片１０１と平坦部８１とをかしめることによりピッチ確保材１０と中間縦桟８とを連結する場合について説明したが、これに限らず、例えば、取付片１０１と平坦部８１とを挿通する埋込リベットによって連結する場合や、取付片１０１に雌螺子を形成して雄螺子で中間縦桟８を回動可能に連結する場合であってもよい。
【００４７】
更に、本実施形態では、連結部４が柵突出部９と支柱突出部５と挿通部材１２とで構成されている場合について説明したが、これに限らず、挿通部材１２を用いずに柵突出部９と支柱突出部５とで構成される場合であってもよい。この場合、柵突出部９と支柱突出部５とを係止すべく、例えば柵突出部９に係止部を設け、支柱突出部５に被係止部を設けるのが好ましい。
【００４８】
また更に、本実施形態では、支柱突出部５の支柱側載置面５１２が支柱２の軸線Ｃ１に垂直となっている場合について説明したが、これに限らず、支柱２の軸線Ｃ１に対し傾いている場合であってもよい。この場合、柵突出部９の柵側載置面９１２を支柱側載置面５１２と平行となるように形成するのが好ましい。
【００４９】
また、本実施形態では、支柱側載置面５１２と柵側載置面９１２とが平坦である場合について説明したが、これに限らず、曲面であってもよい。
【図面の簡単な説明】
【００５０】
【図１】本発明に係る柵構造体の一実施形態を示す正面図であり、平坦な設置面に設置した場合を示す図である。
【図２】同柵構造体の支柱を示す図であり、（Ａ）は正面図、（Ｂ）は（Ａ）のＰ−Ｐ線断面図である。
【図３】同柵構造体の横桟示す図であり、（Ａ）は正面図、（Ｂ）は（Ａ）のＱ−Ｑ線断面図である。
【図４】同柵構造体の端縦桟を示す図であり、（Ａ）は正面図、（Ｂ）は（Ａ）のＲ−Ｒ線断面図である。
【図５】同柵構造体の縦桟ユニットを示す図であり、（Ａ）は正面図、（Ｂ）は（Ａ）のＳ−Ｓ線断面図である。
【図６】同柵構造体の柵体を示す図であり、（Ａ）は正面図、（Ｂ）は（Ａ）のＴ−Ｔ線断面図である。
【図７】同柵構造体を傾斜した設置面に設置した場合を示す正面図である。
【符号の説明】
【００５１】
１…柵構造体、２…支柱、３…柵体、４…連結部、５…支柱突出部、６…横桟、７…端縦桟、８…中間縦桟、９…柵突出部、１０…ピッチ確保材、１１…取付部材、１２…挿通部材、５１，９１…筒部、５２，９２…取付部、６１…位置決孔、６２…溝部、６３…屈曲片、６４…下隅部、６５…上隅部、７１，８１…平坦部、７２…回動孔、８２…かしめ軸、１０１…取付片、１０２…位置決片、５１１…支柱側連結孔、５１２…支柱側載置面、９１１…柵側連結孔、９１２…柵側載置面、１０１１…取付孔、Ｃ１，Ｃ２，Ｃ３，Ｃ４，Ｃ５，Ｃ６，Ｃ７，Ｃ８…軸線
【図１】
2010059692.tif 000003
【図２】
2010059692.tif 000004
【図３】
2010059692.tif 000005
【図４】
2010059692.tif 000006
【図５】
2010059692.tif 000007
【図６】
2010059692.tif 000008
【図７】
2010059692.tif 000009